(57)【要約】【課題】消費電力の低減を実現しつつ、使用者が使用を開始した際に新しい測位結果が得られるまでの時間を短縮すること。【解決手段】携帯情報端末であって、第一測位間隔と、第一測位間隔よりも長い時間間隔を表す第二測位間隔と、を記憶する測位間隔記憶部と、ＧＰＳによる測位を行うＧＰＳ測位部と、自装置が使用状態であるか非使用状態であるか検出する使用状態検出部と、自装置が所持状態であるか非所持状態であるか検出する所持状態検出部と、自装置が使用状態であると検出された場合、及び自装置が非使用状態であり且つ所持状態であると検出された場合には、測位間隔記憶部から第一測位間隔を読み出し、第一測位間隔で測位を行うようにＧＰＳ測位部を制御し、自装置が非使用状態であり且つ非所持状態であると検出された場合には、測位間隔記憶部から第二測位間隔を読み出し、第二測位間隔で測位を行うようにＧＰＳ測位部を制御する制御部と、を備える。【選択図】図１
2011080867.tif 000002
【特許請求の範囲】
【請求項１】
第一測位間隔と、前記第一測位間隔よりも長い時間間隔を表す第二測位間隔と、を記憶する測位間隔記憶部と、
ＧＰＳによる測位を行うＧＰＳ測位部と、
自装置が使用状態であるか非使用状態であるか検出する使用状態検出部と、
自装置が所持状態であるか非所持状態であるか検出する所持状態検出部と、
自装置が使用状態であると検出された場合、及び自装置が非使用状態であり且つ所持状態であると検出された場合には、前記測位間隔記憶部から前記第一測位間隔を読み出し、第一測位間隔で測位を行うように前記ＧＰＳ測位部を制御し、自装置が非使用状態であり且つ非所持状態であると検出された場合には、前記測位間隔記憶部から前記第二測位間隔を読み出し、前記第二測位間隔で測位を行うように前記ＧＰＳ測位部を制御する制御部と、
を備える携帯情報端末。
【請求項２】
第一測位間隔と、前記第一測位間隔よりも長い時間間隔を表す第二測位間隔と、を記憶する測位間隔記憶部と、ＧＰＳによる測位を行うＧＰＳ測位部と、を備える携帯情報端末が、自装置が使用状態であるか非使用状態であるか検出する使用状態検出ステップと、
前記携帯情報端末が、自装置が所持状態であるか非所持状態であるか検出する所持状態検出ステップと、
前記携帯情報端末が、自装置が使用状態であると検出された場合、及び自装置が非使用状態であり且つ所持状態であると検出された場合には、前記測位間隔記憶部から前記第一測位間隔を読み出し、第一測位間隔で測位を行うように前記ＧＰＳ測位部を制御し、自装置が非使用状態であり且つ非所持状態であると検出された場合には、前記測位間隔記憶部から前記第二測位間隔を読み出し、前記第二測位間隔で測位を行うように前記ＧＰＳ測位部を制御する制御ステップと、
を備える制御方法。
【発明の詳細な説明】
【技術分野】
【０００１】
本発明は、携帯情報端末においてＧＰＳによる測位を行う技術に関する。
【背景技術】
【０００２】
従来、ＧＰＳ（Global Positioning System）機能を搭載した携帯電話機が提供されている。これらの携帯電話機には、ＧＰＳ機能による測位結果を用いた様々なアプリケーションが搭載されている。例えば、測位結果に応じた周辺地図を表示することによって、ナビゲーションを行うアプリケーションなどが提案されている。
【０００３】
ＧＰＳ機能は、所定のタイミングで定期的に測位を行い、測位結果を出力する。ただし、ＧＰＳ機能による測位処理は電力を消費する。そのため、携帯電話機の所有者が使用していないことが明確な場合には、測位を行わないことによって消費電力を低減する技術が提案されている。例えば、クラムシェル型の携帯電話機において、シェルが閉じている状態の場合には測位を行わない技術が提案されている。
【０００４】
しかし、このような技術が採用された場合、シェルを閉じた後に再び開けた時点では、その後に測位が行われるまで新しい測位結果が得られないため、即時にアプリケーションを使用したい使用者の要望に応えることができなかった。そのような問題に対し、シェルが閉じられた場合には、シェルが開いている場合に比べて測位処理の間隔を長くして測位処理を継続する技術が提案されている（特許文献１参照）。
【先行技術文献】
【特許文献】
【０００５】
【特許文献１】特開２００９−１３５９１５号公報
【発明の概要】
【発明が解決しようとする課題】
【０００６】
しかしながら、特許文献１に開示された技術では、シェルが閉じている場合の測位処理の間隔によっては、やはり即時にアプリケーションを使用したい使用者の要望には十分に応えられないという問題があった。また、だからといってシェルが閉じている場合の測位処理の間隔を短くしてしまうと、消費電力の低減が十分に図れないという問題があった。
【０００７】
上記事情に鑑み、本発明は、消費電力の低減を実現しつつ、使用者が使用を開始した際に新しい測位結果が得られるまでの時間を短縮することを可能とする携帯情報端末及び制御方法を提供することを目的としている。
【課題を解決するための手段】
【０００８】
本発明の一態様は、携帯情報端末であって、第一測位間隔と、前記第一測位間隔よりも長い時間間隔を表す第二測位間隔と、を記憶する測位間隔記憶部と、ＧＰＳによる測位を行うＧＰＳ測位部と、自装置が使用状態であるか非使用状態であるか検出する使用状態検出部と、自装置が所持状態であるか非所持状態であるか検出する所持状態検出部と、自装置が使用状態であると検出された場合、及び自装置が非使用状態であり且つ所持状態であると検出された場合には、前記測位間隔記憶部から前記第一測位間隔を読み出し、第一測位間隔で測位を行うように前記ＧＰＳ測位部を制御し、自装置が非使用状態であり且つ非所持状態であると検出された場合には、前記測位間隔記憶部から前記第二測位間隔を読み出し、前記第二測位間隔で測位を行うように前記ＧＰＳ測位部を制御する制御部と、を備える。
【０００９】
本発明の一態様は、制御方法であって、第一測位間隔と、前記第一測位間隔よりも長い時間間隔を表す第二測位間隔と、を記憶する測位間隔記憶部と、ＧＰＳによる測位を行うＧＰＳ測位部と、を備える携帯情報端末が、自装置が使用状態であるか非使用状態であるか検出する使用状態検出ステップと、前記携帯情報端末が、自装置が所持状態であるか非所持状態であるか検出する所持状態検出ステップと、前記携帯情報端末が、自装置が使用状態であると検出された場合、及び自装置が非使用状態であり且つ所持状態であると検出された場合には、前記測位間隔記憶部から前記第一測位間隔を読み出し、第一測位間隔で測位を行うように前記ＧＰＳ測位部を制御し、自装置が非使用状態であり且つ非所持状態であると検出された場合には、前記測位間隔記憶部から前記第二測位間隔を読み出し、前記第二測位間隔で測位を行うように前記ＧＰＳ測位部を制御する制御ステップと、を備える。
【発明の効果】
【００１０】
本発明により、消費電力の低減を実現しつつ、使用者が使用を開始した際に新しい測位結果が得られるまでの時間を短縮することが可能となる。
【図面の簡単な説明】
【００１１】
【図１】携帯電話機の機能構成を表す概略ブロック図である。
【図２】制御部の動作の流れを表すフローチャートである。
【発明を実施するための形態】
【００１２】
図１は、携帯電話機１の機能構成を表す概略ブロック図である。携帯電話機１は、クラムシェル型の携帯電話機である。携帯電話機１は、バスで接続されたＣＰＵ（Central Processing Unit）やメモリや補助記憶装置などを備え、ＧＰＳ制御用プログラムを実行することによって、アプリケーション実行部１０１、測位間隔記憶部１０２、制御部１０３、ＧＰＳ測位部１０４、使用状態検出部１０５、所持状態検出部１０６を備える装置として機能する。なお、携帯電話機１の各機能の全て又は一部は、ＡＳＩＣ（Application Specific Integrated Circuit）やＰＬＤ（Programmable Logic Device）等のハードウェアを用いて実現されても良い。
【００１３】
アプリケーション実行部１０１は、携帯電話機１にインストールされているアプリケーションであって、ＧＰＳ（Global Positioning System）の測位結果を用いるアプリケーションを実行する。アプリケーション実行部１０１は、例えばナビゲーションのアプリケーションを実行した場合には、測位結果の位置を中心にした地図の画像を生成して携帯電話機１の画面に表示する。アプリケーション実行部１０１が実行する具体的なアプリケーションは、その他どのようなアプリケーションであっても良い。
【００１４】
測位間隔記憶部１０２は、磁気ハードディスク装置や半導体記憶装置などの記憶装置を用いて構成され、第一測位間隔及び第二測位間隔を記憶する。測位間隔とは、ＧＰＳ測位部１０４が測位処理を行うタイミングを表す情報であり、例えば処理と処理との時間間隔を表す値である。第一測位間隔によって表される時間間隔は、第二測位間隔によって表される時間間隔よりも短い。
【００１５】
制御部１０３は、使用状態検出部１０５及び所持状態検出部１０６の検出結果に応じて、測位間隔記憶部１０２に記憶される第一測位間隔又は第二測位間隔のどちらかを読み出す。そして、制御部１０３は、読み出された測位間隔によって表される時間間隔で測位処理を行うようにＧＰＳ測位部１０４を制御する。
【００１６】
ＧＰＳ測位部１０４は、ＧＰＳ用のアンテナや演算部を備え、ＧＰＳ用人工衛星からＧＰＳ信号を受信する。そして、ＧＰＳ測位部１０４は、受信したＧＰＳ信号に基づいて携帯電話機１の位置情報（緯度、経度、高度）を算出し、算出された位置情報を、制御部１０３を介してアプリケーション実行部１０１に通知する。
【００１７】
使用状態検出部１０５は、携帯電話機１が使用状態であるか非使用状態であるか検出する。具体的には、使用状態検出部１０５は、携帯電話機１のクラムシェルが開状態である場合には使用状態であると検出し、クラムシェルが閉状態である場合には非使用状態であると検出する。そして、使用状態検出部１０５は、検出結果を制御部１０３に通知する。使用状態検出部１０５は、例えばクラムシェルのヒンジ部分に開閉センサとして設けられても良い。
【００１８】
所持状態検出部１０６は、携帯電話機１が所持状態にあるか、非所持状態にあるかを検出する。所持状態とは、携帯電話機１が使用者によって所持されている状態である。非所持状態とは、携帯電話機１が使用者の手から離れている状態であり、例えば何処かに置かれている状態である。所持状態検出部１０６は、例えば加速度センサとして設けられ、検知される加速度が所定の閾値を超えた場合に所持状態であると検出し、検知される加速度が閾値を超えていない場合に非所持状態であると検出するように構成される。
【００１９】
図２は、制御部１０３の動作の流れを表すフローチャートである。制御部１０３は、まず使用状態検出部１０５の検出結果に基づいて、携帯電話機１が使用状態であるか非使用状態であるかを判定する（ステップＳ１０１）。使用状態である場合（ステップＳ１０１−ＹＥＳ）、制御部１０３は測位間隔記憶部１０２から第一測位間隔を読み出し（ステップＳ１０２）、第一測位間隔によって表される時間間隔で測位を行うようにＧＰＳ測位部１０４を制御する（ステップＳ１０５）。
【００２０】
ステップＳ１０１において、携帯電話機１が非使用状態である場合（ステップＳ１０１−ＮＯ）、制御部１０３は、さらに所持状態であるか否かを判定する（ステップＳ１０３）。所持状態である場合（ステップＳ１０３−ＹＥＳ）、制御部１０３は測位間隔記憶部１０２から第一測位間隔を読み出し（ステップＳ１０２）、第一測位間隔によって表される時間間隔で測位を行うようにＧＰＳ測位部１０４を制御する（ステップＳ１０５）。
【００２１】
一方、ステップＳ１０３において、携帯電話機１が非所持状態である場合（ステップＳ１０３−ＮＯ）、制御部１０３は測位間隔記憶部１０２から第二測位間隔を読み出し（ステップＳ１０４）、第二測位間隔によって表される時間間隔で測位を行うようにＧＰＳ測位部１０４を制御する（ステップＳ１０５）。
【００２２】
このように構成された携帯電話機１では、使用状態である場合にはＧＰＳ測位部１０４が第一測位間隔よりも長い第二測位間隔で測位処理を行う。そのため、使用状態及び非使用状態にかかわらず常に第一測位間隔で測位処理が行われる場合に比べて、消費電力を低減させることが可能となる。
【００２３】
また、非使用状態であったとしても所持状態となっている場合には、ＧＰＳ測位部１０４が第一測位間隔で測位処理を行う。そのため、たとえ非使用状態となっていたとしても、使用者によって携帯電話機１が所持されすぐに使用される可能性が高い場合には、より短い時間間隔で測位処理が行われる。したがって、例えば携帯電話機１を所持している使用者がクラムシェルを開いた際に、すぐに測位結果を用いるアプリケーションを使用することが可能となる。例えば、アプリケーション実行部１０１は、クラムシェルが開かれた際に即座にその場所の測位結果に基づいた画面を表示させることが可能となる。
【００２４】
また、このように構成されることにより、使用者の即座に使用したいという要望に応えつつ、第二測位間隔を十分に長い時間として設定し消費電力を有効的に低減することが可能となる。
【００２５】
＜変形例＞
所持状態検出部１０６は、加速度センサとして設けられ、検出される加速度が所定の閾値を超えた後に所定の時間（例えば数秒、十数秒、１分など）が経過するまでは所持状態であると検出し、その後再び加速度が所定の閾値を超えるまでは非所持状態であると検出するように構成されても良い。
【００２６】
携帯電話機１に上記各構成が搭載される場合について説明したが、上記各構成は携帯電話機１に限らず他の携帯情報端末に搭載されても良い。他の携帯情報端末とは、携帯可能な情報処理端末装置であり、例えばＰＤＡ（Personal Digital Assistant）やスマートフォンやノート型パーソナルコンピューターや、いわゆるネットブックのような小型パーソナルコンピューター等である。
【００２７】
使用状態検出部１０５が検出する対象は、クラムシェルの開閉に限られず、上記各構成が搭載される装置に応じて適宜変更されても良い。例えば、携帯電話機１がクラムシェル型ではなくスライド型である場合には、スライド部分が閉じている状態が非使用状態に対応し、スライド部分が開いている状態が使用状態に対応する。また、ノート型パーソナルコンピューターとして構成された場合には、ディスプレイ部分がキーボード部分に覆い被さって閉じている状態が非使用状態に対応し、ディスプレイ部分がキーボード部分から離れて開いている状態が使用状態に対応する。
【００２８】
以上、この発明の実施形態について図面を参照して詳述してきたが、具体的な構成はこの実施形態に限られるものではなく、この発明の要旨を逸脱しない範囲の設計等も含まれる。
【符号の説明】
【００２９】
１…携帯電話機，  １０１…アプリケーション実行部，  １０２…測位間隔記憶部，  １０３…制御部，  １０４…ＧＰＳ測位部，  １０５…使用状態検出部，  １０６…所持状態検出部
【図１】
2011080867.tif 000003
【図２】
2011080867.tif 000004